(57)【要約】      （修正有）【課題】改良された電力管理を備える聴覚装置または補聴器および関連する方法を提供する。【解決手段】聴覚装置２は、ハウジング３と、第１のアンテナと、第１のアンテナ１２に結合されており、第１のアンテナを介して第１のデータを受信および／または送信するように構成された第１の無線通信ユニット１４と、第２のアンテナ１８を備えており、第２のアンテナを介して第２のデータを受信および／または送信するように構成された近距離無線通信タグ１６と、第１の無線通信ユニットおよび近距離無線通信タグと結合された処理ユニット８を備えている。聴覚装置は、近距離無線通信タグの第１のアクティブ化を検出し、第１のアクティブ化の検出に応じて、第１の無線通信ユニットをアクティブ化するように構成されている。【選択図】図１
2014131274.tif 000002
【特許請求の範囲】
【請求項１】
聴覚装置であって、
ハウジングと、
第１のアンテナと、
前記第１のアンテナと結合されており、前記第１のアンテナを介して第１のデータを受信および／または送信するように構成された、第１の無線通信ユニットと、
第２のアンテナを備えており、前記第２のアンテナを介して第２のデータを受信および／または送信するように構成された、近距離無線通信タグと、
前記第１の無線通信ユニットおよび前記近距離無線通信タグと結合された、処理ユニットを備えており、
前記近距離無線通信タグの第１のアクティブ化を検出し、前記第１のアクティブ化の検出に応じて、前記第１の無線通信ユニットをアクティブ化するように構成されている、聴覚装置。
【請求項２】
前記第１のアクティブ化の後の、前記近距離無線通信タグの第２のアクティブ化を検出し、前記第２のアクティブ化の検出に応じて、前記第１の無線通信ユニットを非アクティブ化するように構成されている、請求項１の聴覚装置。
【請求項３】
前記近距離無線通信タグの第１のアクティブ化に応じて、前記近距離無線通信タグが、前記第２のアンテナを介して、前記聴覚装置の識別データを備える前記第２のデータを送信するように構成されている、請求項１の聴覚装置。
【請求項４】
前記近距離無線通信タグが、前記処理ユニットに接続された第１の出力ピンを備えており、
前記近距離無線通信タグがアクティブ化する度毎に、前記近距離無線通信タグが、前記第１の出力ピン上で第１の出力値を論理「０」と「１」の間でトグルするように構成されている、請求項１の聴覚装置。
【請求項５】
前記第１の無線通信ユニットが、８００ＭＨｚから１ＧＨｚまでの範囲内および／または２．４ＧＨｚから２．５ＧＨｚまでの範囲内の任意の値である第１の周波数で、前記第１のデータを受信および／または送信するように構成されている、請求項１の聴覚装置。
【請求項６】
前記近距離無線通信タグが、１３ＭＨｚから１４ＭＨｚまでの範囲内の任意の値である第２の周波数で、前記第２のデータを受信および／または送信するように構成されている、請求項５の聴覚装置。
【請求項７】
前記近距離無線通信タグが、１３ＭＨｚから１４ＭＨｚまでの範囲内の任意の値である周波数で、前記第２のデータを受信および／または送信するように構成されている、請求項１の聴覚装置。
【請求項８】
前記近距離無線通信タグが、前記第２のアンテナを介して前記第２のデータを受信するように構成されており、
前記第２のデータが、音声システムの識別のための音声システムデータを備えており、
前記音声システムデータに従って、前記第１の音声通信ユニットをアクティブ化するように構成されている、請求項１の聴覚装置。
【請求項９】
前記音声システムデータが、音声システムについてのネットワークグループＩＤを備えており、
前記ネットワークグループＩＤに従って、前記第１の無線通信ユニットの受信機パラメータおよび／または送信機パラメータを設定するように構成されている、請求項８の聴覚装置。
【請求項１０】
前記音声システムデータが、プライマリ音声システムデータを備える、請求項８の聴覚装置。
【請求項１１】
前記第１の無線通信ユニットのアクティブ化に応じて、前記第１のアンテナを介して、セカンダリ音声システムデータを受信するように構成されており、
前記セカンダリ音声システムデータに従って、前記第１の無線通信ユニットの受信機パラメータおよび／または送信機パラメータを設定するように構成されている、請求項１０の聴覚装置。
【請求項１２】
前記第１の無線通信ユニットのアクティブ化に応じて、前記第１のアンテナを介して、セカンダリ音声システムデータを受信するように構成されており、
前記セカンダリ音声システムデータに従って、前記第１の無線通信ユニットの受信機パラメータおよび／または送信機パラメータを設定するように構成されている、請求項１の聴覚装置。
【請求項１３】
前記第１の無線通信ユニットのアクティブ化に応じて、前記第１のアンテナを介して、音声システムから音声データを受信するように構成されている、請求項１の聴覚装置。
【請求項１４】
第１のアンテナと、第１の無線通信ユニットと、第２のアンテナを備える近距離無線通信タグと、前記第１の無線通信ユニットおよび前記近距離無線通信タグと結合された処理ユニットを備える聴覚装置を動作させる方法であって、
外部ユニットによる前記近距離無線通信タグの第１のアクティブ化を検出するステップと、
前記第１のアクティブ化の検出に応じて、前記第１の無線通信ユニットをアクティブ化するステップと、
前記第１のアンテナ上で第１のデータを受信するステップを備える方法。
【請求項１５】
前記第１のアクティブ化の後の、前記外部ユニットによる前記近距離無線通信タグの第２のアクティブ化を検出するステップと、
前記第２のアクティブ化の検出に応じて、前記第１の無線通信ユニットを非アクティブ化するステップを備える、請求項１４の方法。
【発明の詳細な説明】
【技術分野】
【０００１】
本発明は、改良された電力管理を備える聴覚装置または補聴器および関連する方法に関する。特に本発明は、聴覚装置の動作時、特に無線通信を伴う聴覚装置の動作時の消費電力を低減する改良された電力管理を備える補聴器に関する。
【背景技術】
【０００２】
無線通信技術の絶え間ない発展により、聴覚装置との無線通信はますます増加してきている。通常、無線通信は、安全な接続管理を維持するために、多少煩雑で電力を消費するペアリング手順を必要とする。さらに、無線通信は、聴覚装置の限られた電力リソースに更なる要求を課すものとなる。
【発明の概要】
【発明が解決しようとする課題】
【０００３】
したがって、既知の解決策にもかかわらず、無線通信用に構成された聴覚装置における電力管理の改善が必要とされている。
【課題を解決するための手段】
【０００４】
したがって、次のような聴覚装置が提供される。その聴覚装置は、ハウジングと、第１のアンテナと、第１のアンテナに結合されており、第１のアンテナを介して第１のデータを受信および／または送信するように構成された第１の無線通信ユニットを備えている。さらに、聴覚装置は、第２のアンテナを備えており、第２のアンテナを介して第２のデータを受信および送信するように構成された近距離無線通信タグと、第１の無線通信ユニットおよび近距離無線通信タグと結合された処理ユニットを備えている。聴覚装置は、近距離無線通信タグの第１のアクティブ化を検出するように構成されている。聴覚装置は、第１のアクティブ化の検出に応じて、第１の無線通信ユニットをアクティブ化するように構成されている。
【０００５】
また、第１のアンテナと、第１の無線通信ユニットと、第２のアンテナを備える近距離無線通信タグと、第１の無線通信ユニットおよび近距離無線通信タグと結合された処理ユニットを備える聴覚装置を動作させる方法も開示される。その方法は、外部ユニットまたは周辺機器による近距離無線通信タグの第１のアクティブ化を検出するステップと、第１のアクティブ化の検出に応じて、第１の無線通信ユニットをアクティブ化するステップを備えている。その方法は、例えば第１のアクティブ化の検出に応じて、第１のアンテナ上で第１のデータを受信および／または送信するステップを備えていてもよい。
【０００６】
本発明の利点は、改良された電力管理を有する聴覚装置が提供されることである。
【０００７】
さらに、その聴覚装置および方法は、聴覚装置における無線リソースを選択的にアクティブ化することによって、バッテリ／電力リソースのより効率的な使用を可能にする。
【０００８】
聴覚装置は、ハウジングと、第１のアンテナと、第１のアンテナに結合されており、第１のアンテナを介して第１のデータを受信および／または送信するように構成された第１の無線通信ユニットと、第２のアンテナを備えており、第２のアンテナを介して第２のデータを受信および／または送信するように構成された近距離無線通信タグと、第１の無線通信ユニットおよび近距離無線通信タグに結合された処理ユニットを備えている。その聴覚装置は、近距離無線通信タグの第１のアクティブ化を検出し、第１のアクティブ化の検出に応じて、第１の無線通信ユニットをアクティブ化するように構成されている。
【０００９】
場合によっては、聴覚装置は、第１のアクティブ化の後の、近距離無線通信タグの第２のアクティブ化を検出し、第２のアクティブ化の検出に応じて、第１の無線通信ユニットを非アクティブ化するように構成されている。
【００１０】
場合によっては、近距離無線通信タグの第１のアクティブ化に応じて、近距離無線通信タグが、第２のアンテナを介して聴覚装置の識別データを備える第２のデータを送信するように構成されている。
【００１１】
場合によっては、近距離無線通信タグは、処理ユニットに接続された第１出力ピンを備えており、近距離無線通信タグがアクティブ化する度毎に、近距離無線通信タグが、第１の出力ピン上で第１の出力値を論理「０」と「１」の間でトグルするように構成されている。
【００１２】
場合によっては、第１の無線通信ユニットは、８００ＭＨｚから１ＧＨｚまでの範囲内および／または２．４ＧＨｚから２．５ＧＨｚまでの範囲内の任意の値である第１の周波数で、第１のデータを受信および／または送信するように構成されている。
【００１３】
場合によっては、近距離無線通信タグは、１３ＭＨｚから１４ＭＨｚまでの範囲内の任意の値である第２の周波数で、第２のデータを受信および／または送信するように構成されている。
【００１４】
場合によっては、近距離無線通信タグは、１３ＭＨｚから１４ＭＨｚまでの範囲内の任意の周波数で、第２のデータを受信および／または送信するように構成されている。
【００１５】
場合によっては、近距離無線通信タグは、第２のアンテナを介して第２のデータを受信するように構成されており、第２のデータは、音声システムの識別のための音声システムデータを備えており、聴覚装置は、音声システムデータに従って、第１の無線通信ユニットをアクティブ化するように構成されている。
【００１６】
場合によっては、音声システムデータは、音声システムについてのネットワークグループＩＤを備えており、聴覚装置は、ネットワークグループＩＤに従って、第１の無線通信ユニットの受信機パラメータおよび／または送信機パラメータを設定するように構成されている。
【００１７】
場合によっては、音声システムデータは、プライマリ音声システムデータを備えている。
【００１８】
場合によっては、聴覚装置は、第１の無線通信ユニットのアクティブ化に応じて、第１のアンテナを介してセカンダリ音声システムデータを受信するように構成されており、聴覚装置は、セカンダリ音声システムデータに従って、第１の無線通信ユニットの受信機パラメータおよび／または送信機パラメータを設定するように構成されている。
【００１９】
場合によっては、聴覚装置は、第１の無線通信ユニットのアクティブ化に応じて、第１のアンテナを介してセカンダリ音声システムデータを受信するように構成されており、聴覚装置は、セカンダリ音声システムデータに従って、第１の無線通信ユニットの受信機パラメータおよび／または送信機パラメータを設定するように構成されている。
【００２０】
場合によっては、聴覚装置は、第１の無線通信ユニットのアクティブ化に応じて、第１のアンテナを介して音声システムからの音声データを受信するように構成されている。
【００２１】
第１のアンテナと、第１の無線通信ユニットと、第２のアンテナを備える近距離無線通信タグと、第１の無線通信ユニットおよび近距離無線通信タグと結合された処理ユニットを備える聴覚装置を動作させる方法は、外部ユニットによる近距離無線通信タグの第１のアクティブ化を検出するステップと、第１のアクティブ化の検出に応じて、第１の無線通信ユニットをアクティブ化するステップと、第１のアンテナ上で第１のデータを受信するステップを含んでいる。
【００２２】
場合によっては、その方法はさらに、第１のアクティブ化の後の、外部ユニットによる近距離無線通信タグの第２のアクティブ化を検出するステップと、第２のアクティブ化の検出に応じて、第１の無線通信ユニットを非アクティブ化するステップを含んでいる。
【００２３】
場合によっては、その方法はさらに、近距離無線通信タグの第１のアクティブ化に応じて、第２のアンテナを介して聴覚装置の識別データを備える第２のデータを送信するステップを含んでいる。
【００２４】
場合によっては、その方法はさらに、第２のアンテナを介してプライマリ音声システムデータを備える第２のデータを受信するステップを含んでおり、第１のアンテナ上で第１のデータを受信するステップは、プライマリ音声システムデータに基づいている。
【００２５】
場合によっては、プライマリ音声システムデータは、音声システムについてのネットワークグループＩＤを備えており、その方法はさらに、ネットワークグループＩＤに従って、第１の無線通信ユニットの受信機パラメータを設定するステップを備えている。
【００２６】
上記および他の態様および特徴は、実施形態についての以下の詳細な説明を読むことで明らかとなるであろう。
【図面の簡単な説明】
【００２７】
本発明の上記および他の特徴および利点は、添付の図面と、例示的な実施形態についての以下の詳細な説明により、当業者には容易に明らかとなるであろう。
【００２８】
【図１】代表的な聴覚装置を模式的に示している。
【図２】本発明による代表的な方法のフローチャートである。
【図３】本発明による代表的な方法のフローチャートである。
【図４】本発明による代表的な方法のフローチャートである。
【図５】本発明による代表的な方法のフローチャートである。
【発明を実施するための形態】
【００２９】
以下では様々な実施形態について図面を参照しながら説明する。なお、図面は縮尺通りに描かれていないこと、および類似の構造又は機能の要素は、図面全体を通して同様の参照番号によって表されることに留意すべきである。なお、図面は実施形態の説明を容易にすることのみを意図していることにも留意すべきである。それらは、特許請求の範囲に記載された発明の網羅的な説明を意図するものでもないし、または特許請求の範囲を限定することを意図するものでもない。また、図示した実施形態では、図示されるすべての特徴または利点を必ずしも有している必要はない。特定の実施形態に関連して説明される特徴または利点は、必ずしもその実施形態に限定されるものではなく、図示していない場合、または明記されていない場合でも、任意の他の実施形態で実現することができる。
【００３０】
聴覚装置は、ヘッドセットまたは補聴器であってもよい。補聴器では、処理ユニットは、ユーザの聴力損失または聴覚障害を補償するために入力信号を調整するように構成されている。
【００３１】
聴覚装置は、第１の無線通信ユニットに結合された第１のアンテナを備える。
【００３２】
第１の無線通信ユニットは、無線データ通信用に構成されており、この点において電磁場の放射および／または受信のための第１のアンテナと相互接続されている。無線通信ユニットは、送信機、受信機、送信機と受信機の組み合わせ、例えば送受信機、無線ユニットなどを備えていてもよい。無線通信ユニットは、当業者に知られているように、ブルートゥース、ＷＬＡＮ規格、製造業者固有のプロトコル、例えば専用の近接アンテナプロトコル、例えば独自プロトコル、例えば低電力無線通信プロトコルなどを含む、任意のプロトコルを用いて通信するように構成されていてもよい。
【００３３】
第１の無線通信ユニットは、第１の周波数で第１のデータを受信および／または送信するように構成されていてもよい。第１の無線通信ユニットは、少なくとも１またはそれ以上の動作モードにおいて、受信機としてのみ動作するように構成されていてもよく、それによって聴覚装置の消費電力がさらに低減される。
【００３４】
第１の無線通信ユニットは、８００ＭＨｚから１ＧＨｚの範囲内および／または２．４ＧＨｚから２．５ＧＨｚの範囲内の第１の周波数で第１のデータを受信および／または送信するように構成されていてもよい。
【００３５】
聴覚装置は、近距離無線通信（ＮＦＣ）タグを含む。近距離無線通信タグは、第２のアンテナと、第２のアンテナに接続された電気回路を備える。電気回路は、メモリを備えていてもよい。聴覚装置の識別データ（ＨＤ＿ＩＤ）は、メモリの読み出し専用部に記憶されていてもよい。メモリまたはその少なくとも一部は、近距離無線通信タグのアクティブ化に応じて、周辺機器を用いてメモリにデータを書き込むことができるように構成されていてもよい。これにより、周辺機器は、電力を消費せずに、あるいは低減された消費電力で、データ、例えば第１の無線通信ユニットの受信機の設定を、補聴器に送信することができる。処理ユニットは、例えば近距離無線通信タグの１またはそれ以上のデータピンを介して、メモリからデータを取得するように構成されていてもよい。
【００３６】
近距離無線通信タグは、１３ＭＨｚから１４ＭＨｚの範囲内の第２の周波数で第２のデータを受信および／または送信するように構成されていてもよい。
【００３７】
聴覚装置は、音声を処理ユニットに供給される電気的な音声信号に変換するための、処理ユニットに結合されたマイクロホンを備えていてもよい。さらに、聴覚装置は、処理ユニットからの処理済みの音声信号を音声に変換するための、処理ユニットに結合されたレシーバを備えていてもよい。
【００３８】
処理ユニットは、近距離無線通信タグの第１のアクティブ化を検出するように構成されている。処理ユニットは、第１のアクティブ化を検出すると、第１の無線通信ユニットをアクティブ化するように構成されている。近距離無線通信タグは、無線周波数（ＲＦ）場を生成するイニシエータとして動作するように構成されたＮＦＣ装置を備える周辺機器、例えば携帯電話、スマートフォン、カードキー、リモコンユニットによって、アクティブ化されてもよい。
【００３９】
聴覚装置および方法は、聴覚装置における改善された電力管理をもたらす、聴覚装置における無線リソースのシンプルなユーザによる制御を提供する。さらに、近距離無線通信タグの使用は、通信の少なくとも一部について、外部の電力、例えば周辺機器からの外部の電力を利用可能とし、それによって聴覚装置の電力要件を緩和する。
【００４０】
第１の無線通信ユニットがアクティブ化されると、処理ユニットは処理済み音声信号をレシーバへ出力する。処理済み音声信号は、第１の無線通信ユニットからの入力および／またはマイクロホンからの入力に基づくものであってもよい。レシーバは、処理ユニットからの処理済み音声信号を、音声に変換する。
【００４１】
聴覚装置は、第１のアクティブ化の後の近距離無線通信タグの第２のアクティブ化を検出するように構成されていてもよい。聴覚装置、例えば処理ユニットは、第２のアクティブ化の検出に応じて、第１の無線通信ユニットを非アクティブ化するように構成されていてもよい。
【００４２】
代表的な聴覚装置において、聴覚装置は、第１のアクティブ化の前の近距離無線通信タグのセットアップのアクティブ化を検出するように構成されていてもよい。近距離無線通信タグは、セットアップのアクティブ化および／または第１のアクティブ化に応じて、聴覚装置の識別データを外部ユニットまたは周辺機器に送信するように構成されていてもよい。その代わりに、またはそれと組み合わせて、聴覚装置は、セットアップのアクティブ化および／または第１のアクティブ化の検出の後に、例えば第２のアンテナを介して受信される音声システムデータに従って、第１の無線通信ユニットの受信機パラメータをセットするように構成されていてもよい。
【００４３】
第１の無線通信ユニットの非アクティブ化は、様々な態様で開始されてもよい。聴覚装置、例えば処理ユニットは、第１のアンテナを介した終結信号の受信に応じて、および／または、第１のデータの送信の終了（例えばある期間、例えば１分間にわたって第１のデータが受信されない場合）に応じて、第１の無線通信ユニットを非アクティブ化するように構成されていてもよい。第２のアクティブ化の検出を利用することによって、ユーザは、シンプルで簡便な手法で、第１の無線通信ユニットを非アクティブ化することが可能となる。
【００４４】
処理ユニットは、第１の無線通信ユニットの非アクティブ化に応じて、近距離無線通信タグにリセット信号を送信するように構成されていてもよい。
【００４５】
聴覚装置の近距離無線通信タグは、近距離無線通信タグのアクティブ化、例えばセットアップのアクティブ化および／または第１のアクティブ化に応じて、第２のアンテナを介して、聴覚装置の識別データを備える第２のデータを送信するように構成されていてもよい。これにより、外部ユニットまたは周辺機器が、聴覚装置を識別して、それにより外部ユニットまたは周辺機器の送信機／受信機パラメータを調整することが可能となり、聴覚装置の消費電力が低減される。
【００４６】
近距離無線通信タグは、処理ユニットに接続された、第１の出力ピンを含む１またはそれ以上の出力ピンを備えていてもよい。近距離無線通信タグは、近距離無線通信タグのアクティブ化ごとに、第１の出力ピン上の第１の出力値を論理「０」と「１」の間でトグルするように構成されていてもよい。１またはそれ以上の出力ピンは、外部ユニットまたは周辺機器によって近距離無線通信タグがアクティブ化されるたびに増分するカウンタの出力に接続されていてもよい。
【００４７】
処理ユニットは、近距離無線通信タグの１またはそれ以上の出力ピン上の出力ピン値に基づいて、第１の無線通信ユニットを制御するように構成されていてもよい。
【００４８】
処理ユニットは、近距離無線通信タグの出力ピンが第１のアクティブ化を示す値を有する場合に、例えば実装形態に応じて第１の出力ピンが「１」または「０」に設定されている場合に、第１の無線通信ユニットをアクティブ化するように構成されていてもよい。
【００４９】
処理ユニットは、近距離無線通信タグの出力ピンが第２のアクティブ化を示す値を有する場合に、例えば実装形態に応じて第１の出力ピンまたは第２の出力ピンが「１」または「０」に設定されている場合に、第１の無線通信ユニットを非アクティブ化するように構成されていてもよい。
【００５０】
終結信号が第１のアンテナにより受信された場合に、第１の無線通信ユニットは非アクティブ化されて、第１の出力ピンが論理「０」に設定されるようにしてもよい。
【００５１】
処理ユニットは、第１の無線通信ユニットの非アクティブ化に応じて、近距離無線通信タグにリセット信号を送信するように構成されていてもよい。近距離無線通信タグは、リセット信号の受信に応じて、出力ピンをリセットするように構成されていてもよい。
【００５２】
近距離無線通信タグは、さらに、第２のアンテナを介して第２のデータを受信するように構成されていてもよい。第２のデータは、近距離無線通信タグのメモリに記憶されてもよく、および／または、処理ユニットに送信されてもよい。第２のデータは、音声システムの識別のためのプライマリ音声システムデータを備えていてもよい。この場合に、聴覚装置は、プライマリ音声システムデータに従って、第１の無線通信ユニットの送信機／受信機パラメータを設定するように構成されていてもよい。メモリの一部、例えば第１のメモリは、聴覚装置のＩＤ番号を格納する読み出し専用メモリであってもよく、第２のメモリは、例えばネットワークグループＩＤを格納する、書き換え可能なメモリであってもよい。処理ユニットは、所望のチャネルへ接続するために、このメモリにアクセスし、第１の無線通信ユニットに情報を中継するように構成されていてもよい。
【００５３】
プライマリ音声システムデータは、音声システムについてのネットワークグループＩＤを備えていてもよく、聴覚装置は、ネットワークグループＩＤに従って、第１無線通信ユニットの送信機および／または受信機パラメータを設定するように構成されていてもよい。
【００５４】
例えばネットワークグループＩＤを備える第２のデータを受信できるように近距離無線通信タグを構成することの利点は、複数の音声チャネルの所望の音声チャネル上で情報を受信できるようになることである。従って、簡単でかつバッテリへの要求が緩和された、所望のチャネルからデータを受信するための、第１の無線通信ユニットの設定方法が提供される。
【００５５】
聴覚装置は、第１の無線通信ユニットのアクティブ化に応じて、第１のアンテナを介してセカンダリ音声システムデータを受信するように構成されていてもよい。聴覚装置は、セカンダリ音声システムデータに従って、第１の無線通信ユニットの送信機／受信機パラメータを設定するように構成されていてもよい。代表的な聴覚装置では、この特徴は、近距離無線通信タグの第１のアクティブ化が検出された場合に、第１の無線通信ユニットをアクティブ化することによって組み込まれていてもよい。アクティブ化に応じて、第１の無線通信ユニットは、デフォルトのチャネル上でセカンダリ音声システムデータを受信するように構成され、それに応じて、処理ユニットまたは第１の無線通信ユニットは、第１の無線通信ユニットの受信機パラメータを設定するように構成される。
【００５６】
聴覚装置は、さらに、第１の無線通信ユニットがアクティブ化されると、第１のアンテナを介して音声システムから、音声データとして第１のデータを受信するように構成されていてもよい。音声データを受信するように構成する場合、聴覚装置は、例えば映画館の中や、プレゼンテーションの際や、電話や携帯音楽プレーヤについての、ヘッドホンとして利用されてもよい。
【００５７】
聴覚装置を動作させる方法は、外部ユニットまたは周辺機器による近距離無線通信タグの第１のアクティブ化を検出するステップと、場合によっては、第１のアクティブ化の検出に応じて、第１の無線通信ユニットをアクティブ化するステップを備えている。
【００５８】
電力リソースを節約するために、第１の無線通信ユニットを非アクティブ化することが可能であることが望ましい。したがって、この方法は、第１のアクティブ化の後の外部ユニットによる近距離無線通信タグの第２のアクティブ化を検出するステップと、第２のアクティブ化の検出に応じて、第１の無線通信ユニットを非アクティブ化するステップを備えていてもよい。第２のアクティブ化の検出を利用することによって、ユーザは簡単な手法で第１の無線通信ユニットを非アクティブ化することが可能となる。
【００５９】
この方法は、近距離無線通信タグの第１のアクティブ化に応じて、第２のアンテナを介して、例えば聴覚装置の識別データを備える第２のデータを送信するステップを備えていてもよい。これにより、別の近距離無線通信装置が聴覚装置を識別することが可能となり、第１のアンテナを介した２つの装置のより効率的なペアリングを形成することが可能となる。従って、例えばスマートフォンとのペアリング手順は、従来のペアリング手順に比べて、より消費電力が少なくなる。
【００６０】
この方法は、第２のアンテナを介して、例えばプライマリ音声システムデータを備える第２のデータを受信するステップを備えていてもよい。第１のアンテナ上の第１のデータの受信は、プライマリ音声システムデータに基づくものであってもよい。プライマリ音声システムデータは、音声システムについてのネットワークグループＩＤを備えていてもよく、この方法は、ネットワークグループＩＤに従って、第１の無線通信ユニットの受信機パラメータを設定するステップを備えていてもよい。
【００６１】
例えば、ネットワークグループＩＤを備える第２のデータを受信することの利点は、複数のチャネルの所望のチャネルに関連する情報、あるいは複数の送信機の所望の送信機からの情報を受信することができるようになることである。これにより、簡単でありかつバッテリへの要求が緩和された、所望のチャネルまたは所望の送信機からのデータを受信するための、第１無線通信ユニットの設定方法が提供される。
【００６２】
図１は、代表的な聴覚装置を模式的に示している。聴覚装置２は、音声を変換済み音声信号６に変換するマイクロホン４と、マイクロホンに接続された処理ユニット８を収容するハウジング３を備えている。処理ユニット８は、少なくとも第１の動作モードにおいて、変換済み音声信号６を処理するように構成されている。マイクロホン４と処理ユニット８の間に、前処理ユニットおよび／またはアナログ／デジタル変換器（図示せず）が配置されていてもよい。聴覚装置は、処理ユニット８の出力に接続されており、処理ユニットの出力信号を出力音声信号に変換するための、レシーバ１０を備えている。聴覚装置２は、第１のアンテナ１２と、第１のアンテナ１２に接続されており、第１のアンテナを介して第１のデータを受信および／または送信するように構成された、第１の無線通信ユニット１４を備えている。さらに、聴覚装置２は、第２のアンテナ１８と、第２のアンテナ１８に接続された電気回路１９を備える近距離無線通信タグ１６を備えている。近距離無線通信タグ１６は、第２のアンテナ１８を介して、第２のデータを受信および／または送信するように構成されている。処理ユニット８は、例えば第１のアンテナ１２を介して第１のデータを受信および／または送信するために、第１の無線通信ユニット１４に結合／接続されている。さらに、処理ユニット８は、第２のアンテナ１８を介して第２のデータを受信および／または送信するために、近距離無線通信タグ１６に結合／接続されている。聴覚装置２は、近距離無線通信タグ１６の第１のアクティブ化を検出し、第１のアクティブ化の検出に応じて、第１の無線通信ユニット１４をアクティブ化するように構成されている。
【００６３】
図２は、例えば本明細書が開示する聴覚装置によるところの、聴覚装置を動作させる代表的な方法のフローチャートを示している。方法１００は、外部ユニットによる近距離無線通信タグの第１のアクティブ化を検出するステップ１０２と、第１のアクティブ化の検出に応じて第１の無線通信ユニットをアクティブ化するステップ１０４と、第１のアンテナ上で第１のデータを受信するステップ１０６を備えている。
【００６４】
図３は代表的な方法のフローチャートを示す。方法１００’は、第１のアクティブ化の後の外部ユニットまたは周辺機器による近距離無線通信タグの第２のアクティブ化を検出するステップ１０８と、第２のアクティブ化の検出に応じて、第１の無線通信ユニットを非アクティブ化するステップ１１０を備えている。補聴器は、第１の無線通信ユニットがアクティブ化されている限り、もし存在するならば第１のデータの受信１０６を継続する。
【００６５】
図４は本発明による代表的な方法１００’’のフローチャートを示す。方法１００’’は、近距離無線通信タグの第１のアクティブ化の検出１０４に応じて、第２のアンテナを介して、例えば聴覚装置の識別データを備える、第２のデータを送信および／または受信するステップ１１２を備えている。
【００６６】
図５は本発明による代表的な方法１００’’’のフローチャートを示す。方法１００’’’は、近距離無線通信タグのセットアップのアクティブ化を検出するステップ１１４と、場合によっては、第２のアンテナを介して、第２のデータを受信／送信するステップ１１２を備えている。セットアップのアクティブ化の検出１１４に応じて、この方法は、第１の無線送信機の送信機および／または受信機パラメータを設定するステップ１１６へ進む。次いで、この方法は、近距離無線通信タグの第１のアクティブ化を検出するステップ１０２へ進む。第２のアクティブ化を検出するステップ１０８は、第１のアンテナを介して非アクティブ化を示す信号の受信を検出するステップで置換または補足されてもよい。
【００６７】
以下の任意の項目による聴覚装置および方法は、本明細書に開示されている。
【００６８】
（項目１）
聴覚装置であって、
ハウジングと、
第１のアンテナと、
前記第１のアンテナと結合されており、前記第１のアンテナを介して第１のデータを受信および／または送信するように構成された、第１の無線通信ユニットと、
第２のアンテナを備えており、前記第２のアンテナを介して第２のデータを受信および／または送信するように構成された、近距離無線通信タグと、
前記第１の無線通信ユニットおよび前記近距離無線通信タグと結合された、処理ユニットを備えており、
前記近距離無線通信タグの第１のアクティブ化を検出し、前記第１のアクティブ化の検出に応じて、前記第１の無線通信ユニットをアクティブ化するように構成されている、聴覚装置。
【００６９】
（項目２）
前記第１のアクティブ化の後の、前記近距離無線通信タグの第２のアクティブ化を検出し、前記第２のアクティブ化の検出に応じて、前記第１の無線通信ユニットを非アクティブ化するように構成されている、項目１の聴覚装置。
【００７０】
（項目３）
前記近距離無線通信タグの第１のアクティブ化に応じて、前記近距離無線通信タグが、前記第２のアンテナを介して、前記聴覚装置の識別データを備える第２のデータを送信するように構成されている、項目１または２の聴覚装置。
【００７１】
（項目４）
前記近距離無線通信タグが、前記処理ユニットに接続された第１の出力ピンを備えており、
前記近距離無線通信タグがアクティブ化する度毎に、前記近距離無線通信タグが、前記第１の出力ピン上で第１の出力値を論理「０」と「１」の間でトグルするように構成されている、項目１から３の何れか一項の聴覚装置。
【００７２】
（項目５）
前記第１の無線通信ユニットが、８００ＭＨｚから１ＧＨｚまでの範囲内および／または２．４ＧＨｚから２．５ＧＨｚまでの範囲内の第１の周波数で、第１のデータを受信および／または送信するように構成されている、項目１から４の何れか一項の聴覚装置。
【００７３】
（項目６）
前記近距離無線通信タグが、１３ＭＨｚから１４ＭＨｚまでの範囲内の第２の周波数で、第２のデータを受信および／または送信するように構成されている、項目１から５の何れか一項の聴覚装置。
【００７４】
（項目７）
前記近距離無線通信タグが、前記第２のアンテナを介して第２のデータを受信するように構成されており、
前記第２のデータが、音声システムの識別のためのプライマリ音声システムデータを備えており、
前記音声システムデータに従って、前記第１の音声通信ユニットをアクティブ化するように構成されている、項目１から６の何れか一項の聴覚装置。
【００７５】
（項目８）
前記プライマリ音声システムデータが、音声システムについてのネットワークグループＩＤを備えており、
前記ネットワークグループＩＤに従って、前記第１の無線通信ユニットの受信機および／または送信機のパラメータを設定するように構成されている、項目７の聴覚装置。
【００７６】
（項目９）
前記第１の無線通信ユニットのアクティブ化に応じて、前記第１のアンテナを介してセカンダリ音声システムデータを受信するように構成されており、
前記セカンダリ音声システムデータに従って、前記第１の無線通信ユニットの受信機および／または送信機のパラメータを設定するように構成されている、項目１から８の何れか一項の聴覚装置。
【００７７】
（項目１０）
前記第１の無線通信ユニットのアクティブ化に応じて、前記第１のアンテナを介して、音声システムから音声データを受信するように構成されている、項目１から９の何れか一項の聴覚装置。
【００７８】
（項目１１）
第１のアンテナと、第１の無線通信ユニットと、第２のアンテナを備える近距離無線通信タグと、前記第１の無線通信ユニットおよび前記近距離無線通信タグと結合された処理ユニットを備える聴覚装置を動作させる方法であって、
外部ユニットによる前記近距離無線通信タグの第１のアクティブ化を検出するステップと、
前記第１のアクティブ化の検出に応じて、前記第１の無線通信ユニットをアクティブ化するステップと、
前記第１のアンテナ上で第１のデータを受信するステップを備える方法。
【００７９】
（項目１２）
前記第１のアクティブ化の後の、外部ユニットによる前記近距離無線通信タグの第２のアクティブ化を検出するステップと、
前記第２のアクティブ化の検出に応じて、前記第１の無線通信ユニットを非アクティブ化するステップを備える、項目１１の方法。
【００８０】
（項目１３）
前記近距離無線通信タグの第１のアクティブ化に応じて、前記第２のアンテナを介して、前記聴覚装置の識別データを備える第２のデータを送信するステップを備える、項目１１または１２の方法。
【００８１】
（項目１４）
前記第２のアンテナを介してプライマリ音声システムデータを備える第２のデータを受信するステップを備えており、
前記第１のアンテナ上で第１のデータを受信するステップが、前記プライマリ音声システムデータに基づいている、項目１１から１３の何れか一項の方法。
【００８２】
（項目１５）
前記プライマリ音声システムデータが、音声システムについてのネットワークグループＩＤを備えており、
前記ネットワークグループＩＤに従って、前記第１の無線通信ユニットの受信機パラメータを設定するステップを備える、項目１４の方法。
【００８３】
本明細書において、「第１の」、「第２の」等の用語（例えば「第１のアクティブ化」、「第２のアクティブ化」等）は、１つのものを別のものと区別するために用いており、必ずしも順序を意味する用語として用いていない。従って、「第１のアクティブ化」は、最初に発生するアクティブ化を必ずしも意味していない。
【００８４】
特定の実施形態について図示および説明をしているが、特許請求の範囲に記載された発明を好ましい実施形態に限定することを意図するものではないことが理解されるであろう。また、特許請求の範囲に記載された発明の主旨および範囲から逸脱することなく、様々な変更および修正がなされ得ることが、当業者には明らかであろう。従って、明細書および図面は限定的な意味ではなく、例示的に解釈されるべきである。特許請求の範囲に記載された発明は、代替、修正、および均等をカバーすることを意図している。
【符号の説明】
【００８５】
２     聴覚装置
３     ハウジング
４     マイクロホン
６     変換済み音声信号
８     前処理ユニット
１０   レシーバ
１２   第１のアンテナ
１４   第１の無線通信ユニット
１６   近距離無線通信タグ
１８   第２のアンテナ
１９   電気回路
１００，１００’，１００’’，１００’’’       聴覚装置を動作させる方法
１０２ 第１のアクティブ化を検出するステップ
１０４ 第１の無線通信ユニットをアクティブ化するステップ
１０６ 第１のデータを受信するステップ
１０８ 第２のアクティブ化を検出するステップ
１１０ 第１の無線通信ユニットを非アクティブ化するステップ
１１２ 第２のデータを送信および／または受信するステップ
１１４ セットアップのアクティブ化を検出するステップ
１１６ 第１の無線通信ユニットの受信機および／または送信機のパラメータを設定するステップ
【図１】
2014131274.tif 000003
【図２】
2014131274.tif 000004
【図３】
2014131274.tif 000005
【図４】
2014131274.tif 000006
【図５】
2014131274.tif 000007
【外国語明細書】
2014131274000001.pdf
2014131274000002.pdf
2014131274000003.pdf
2014131274000004.pdf